(57)【要約】【課題】殺菌・脱臭装置において、処理室外の温度がオゾン濃度計の使用環境温度範囲を逸脱している場合においても、オゾン濃度計によって処理室内のオゾン濃度を測定することができる技術を提供することを課題とする。【解決手段】オゾンガスによって処理室２内の処理対象物を殺菌または脱臭する処理を行うように構成される、殺菌・脱臭装置１であって、処理室２内のオゾン濃度を測定するオゾン濃度計３を備え、オゾン濃度計３の使用環境温度をオゾン濃度計の使用環境温度範囲内にするように構成されるものである。【選択図】図１
2014168595.tif 000002
【特許請求の範囲】
【請求項１】
オゾンガスによって処理室内の処理対象物を殺菌または脱臭する処理を行うように構成される、殺菌・脱臭装置であって、
前記処理室内のオゾン濃度を測定するオゾン濃度計を備え、
前記オゾン濃度計の使用環境温度を前記オゾン濃度計の使用環境温度範囲内にするように構成される、殺菌・脱臭装置。
【請求項２】
前記オゾン濃度計は、前記処理室内に配置され、
前記処理室内の温度を前記オゾン濃度計の使用環境温度範囲内にして処理対象を殺菌または脱臭する処理を行うように構成される、
請求項１に記載の殺菌・脱臭装置。
【請求項３】
前記オゾン濃度計の一部または全部がオゾンガスに曝されることを防止する防止部を備える、
請求項２に記載の殺菌・脱臭装置。
【請求項４】
前記防止部は、中空状に形成される容器で構成され、
前記オゾン濃度計は、前記容器内に配置される、
請求項３に記載の殺菌・脱臭装置。
【請求項５】
前記容器内の温度が前記オゾン濃度計の使用環境温度範囲を越えないように前記容器内を冷却するように構成される冷却部を備える、
請求項４に記載の殺菌・脱臭装置。
【請求項６】
前記防止部は、前記オゾン濃度計外装の隙間を覆うように構成されるキャップ部材で構成される、
請求項３に記載の殺菌・脱臭装置。
【請求項７】
前記防止部は、前記オゾン濃度計の外面に配置される一部の部品を覆うように構成されるキャップ部材で構成される、
請求項３に記載の殺菌・脱臭装置。
【請求項８】
内部の温度が前記オゾン濃度計の使用環境温度範囲内に温調されるように構成される温調室を前記処理室外に備え、
前記オゾン濃度計は、前記温調室内に配置される、
請求項１に記載の殺菌・脱臭装置。
【発明の詳細な説明】
【技術分野】
【０００１】
本発明は、オゾンガスを用いて処理対象を殺菌または脱臭する処理を行う殺菌・脱臭装置の技術に関する。
【背景技術】
【０００２】
従来、オゾンガスによって処理室内の処理対象物を殺菌または脱臭する処理を行うように構成される殺菌・脱臭装置の技術は公知となっている（特許文献１参照）。
前記殺菌・脱臭装置によって殺菌または脱臭する処理が行われる処理対象には、例えば、医療機器、電子部品、また、処理室内等がある。
【０００３】
また、前記殺菌・脱臭装置には、処理室内のオゾン濃度を測定するように構成されるオゾン濃度計（例えば、紫外線吸収式のオゾン濃度計）を備えるものがある。
前記殺菌・脱臭装置では、オゾン濃度計を備えて、オゾン濃度計によって測定された処理室内のオゾン濃度と処理対象の殺菌または脱臭する処理を行う処理時間とから、処理対象を殺菌または脱臭する処理効果を作業者が確認することが行われる。
【先行技術文献】
【特許文献】
【０００４】
【特許文献１】特開２０１２−４０１４３号公報
【発明の概要】
【発明が解決しようとする課題】
【０００５】
しかしながら、前記殺菌・脱臭装置のオゾン濃度計が使用されるオゾン濃度計の使用環境温度範囲は、例えば５℃以上４０℃以下のように所定の温度の範囲内においてオゾン濃度計３を使用することが製造元によって定められている。
もっとも、冬季もしくは寒冷地、また、夏期もしくは熱帯地においては、前記殺菌・脱臭装置のオゾン濃度計の使用環境温度がオゾン濃度計の使用環境温度範囲を逸脱している場合（例えば、処理室外の温度が５℃以下または４０℃以上の場合）がある。
そして、前記殺菌・脱臭装置において、このようにオゾン濃度計の使用環境温度の範囲を逸脱した状態でオゾン濃度計を使用すると、オゾン濃度計に動作不良が発生する場合、また、オゾン濃度計に不具合が発生する場合等がある。
このように、前記殺菌・脱臭装置では、オゾン濃度計の使用環境温度がオゾン濃度計の使用環境温度範囲を逸脱している場合には、オゾン濃度計を使用できず、オゾン濃度計によって処理室内のオゾン濃度を測定できないという問題があった。
【０００６】
本発明は以上の如き状況に鑑みてなされたものであり、処理室外の温度がオゾン濃度計の使用環境温度範囲を逸脱している場合においても、オゾン濃度計によって処理室内のオゾン濃度を測定することができる技術を提供することを課題とする。
【課題を解決するための手段】
【０００７】
本発明の解決しようとする課題は以上の如くであり、次にこの課題を解決するための手段を説明する。
【０００８】
即ち、請求項１においては、オゾンガスによって処理室内の処理対象物を殺菌または脱臭する処理を行うように構成される、殺菌・脱臭装置であって、前記処理室内のオゾン濃度を測定するオゾン濃度計を備え、前記オゾン濃度計の使用環境温度を前記オゾン濃度計の使用環境温度範囲内にするように構成されるものである。
【０００９】
請求項２においては、前記オゾン濃度計は、前記処理室内に配置され、前記処理室内の温度を前記オゾン濃度計の使用環境温度範囲内にして処理対象を殺菌または脱臭する処理を行うように構成されるものである。
【００１０】
請求項３においては、前記オゾン濃度計の一部または全部がオゾンガスに曝されることを防止する防止部を備えるものである。
【００１１】
請求項４においては、前記防止部は、中空状に形成される容器で構成され、前記オゾン濃度計は、前記容器内に配置されるものである。
【００１２】
請求項５においては、前記容器内の温度が前記オゾン濃度計の使用環境温度範囲を越えないように前記容器内を冷却するように構成される冷却部を備えるものである。
【００１３】
請求項６においては、前記防止部は、前記オゾン濃度計外装の隙間を覆うように構成されるキャップ部材で構成されるものである。
【００１４】
請求項７においては、前記防止部は、前記オゾン濃度計の外面に配置される一部の部品を覆うように構成されるキャップ部材で構成されるものである。
【００１５】
請求項８においては、内部の温度が前記オゾン濃度計の使用環境温度範囲内に温調されるように構成される温調室を前記処理室外に備え、前記オゾン濃度計は、前記温調室内に配置されるものである。
【発明の効果】
【００１６】
本発明の効果として、以下に示すような効果を奏する。
【００１７】
即ち、本発明によれば、処理室外の温度がオゾン濃度計の使用環境温度範囲を逸脱している場合においても、オゾン濃度計によって処理室内のオゾン濃度を測定することができる。
【図面の簡単な説明】
【００１８】
【図１】本発明の第一実施形態に係る殺菌・脱臭装置を示した模式図。
【図２】本発明の第二実施形態に係る殺菌・脱臭装置を示した模式図。
【図３】同じく殺菌・脱臭装置のオゾン濃度計及び防止部を示した模式図。
【図４】同じく殺菌・脱臭装置のオゾン濃度計及び防止部を示した模式図。
【図５】同じく殺菌・脱臭装置のオゾン濃度計及び防止部を示した斜視図。
【図６】本発明の第三実施形態に係る殺菌・脱臭装置の処理室を示した模式図。
【図７】同じく殺菌・脱臭装置のオゾン濃度計及び防止部を示した斜視図。
【図８】同じく殺菌・脱臭装置のオゾン濃度計及び防止部を示した平面図。
【発明を実施するための形態】
【００１９】
次に、本発明の第一実施形態に係る殺菌・脱臭装置１について図１を用いて説明する。
【００２０】
殺菌・脱臭装置１は、オゾン（Ｏ３）ガスによって処理室２内の処理対象を殺菌または脱臭する処理を行うように構成される。
殺菌・脱臭装置１によって殺菌または脱臭する処理が行われる処理対象には、例えば、医療機器、電子部品、また、処理室２内等がある。
殺菌・脱臭装置１は、図１に示すように、処理室２と、オゾン発生装置（不図示）と、オゾン濃度計３と、を備える。
【００２１】
殺菌・脱臭装置１の処理室２は、中空状に構成され、その内部に処理対象が配置されるように構成される。
処理室２は、内部に配置された処理対象がオゾン（Ｏ３）ガスによって殺菌または脱臭する処理が行われるように構成される。
【００２２】
殺菌・脱臭装置１のオゾンガス発生装置は、空気または濃縮酸素を原料としてオゾンガスを発生するように構成される。オゾンガス発生装置は、これにおいて発生させたオゾンガスを処理室２に供給するように構成される。
【００２３】
殺菌・脱臭装置１のオゾン濃度計３（紫外線吸収式のオゾン濃度計３）は、処理室２内のオゾン濃度を測定するように構成される。
オゾン濃度計３は、流入部３１と、流出部３２と、を有し、流入部３１から内部に流入したオゾンガスの濃度を測定して、前記内部に流入したオゾンガスを流出部３２から外部に流出するように構成される。
【００２４】
殺菌・脱臭装置１は、オゾン濃度計３を備えることによって、オゾン濃度計３によって測定された処理室２内のオゾン濃度と処理対象の殺菌または脱臭する処理を行う処理時間とから、処理対象を殺菌または脱臭する処理効果を作業者が確認することができるように構成される。
殺菌・脱臭装置１は、オゾン濃度計３の使用環境温度をオゾン濃度計３の使用環境温度範囲内にするように構成される。
オゾン濃度計３の使用環境温度とは、オゾン濃度計３を使用するときの当該オゾン濃度計３の周囲の温度を示す。
オゾン濃度計３の使用環境温度範囲とは、例えば、５℃以上４０℃以下のように所定の温度の範囲内においてオゾン濃度計３を使用することがオゾン濃度計３の製造元によって定められているものである。使用環境温度の範囲を逸脱してオゾン濃度計３を使用すると、このことが原因で、オゾン濃度計３の動作不良が発生する場合、また、オゾン濃度計３に不具合が発生する場合等がある。
【００２５】
以上のように、処理室２内のオゾン濃度を測定するオゾン濃度計３を備え、オゾン濃度計３の使用環境温度をオゾン濃度計３の使用環境温度範囲内にするように構成される、殺菌・脱臭装置１では、オゾン濃度計３の使用環境温度がオゾン濃度計３の使用環境温度範囲内とされるため、処理室２外の温度がオゾン濃度計３の使用環境温度範囲を逸脱している場合においても、オゾン濃度計３によって処理室２内のオゾン濃度を測定することができる。
【００２６】
殺菌・脱臭装置１は、温調室４を備える。
温調室４は、処理室２外に配置される。
温調室４は、その内部の温度がオゾン濃度計３の使用環境温度範囲内に温調されるように構成される。
温調室４は、流入口４１と、流出口４２と、を有し、温調室４の内部の温度をオゾン濃度計３の使用環境温度範囲内にするような流体（例えば、冷却ガス）が流入口４１から流入し、調温室内の気体が流出口４２から流出するように構成される。
温調室４はその内部にオゾン濃度計３が配置されるように構成される。
オゾン濃度計３は、温調室４内に配置される。
【００２７】
殺菌・脱臭装置１は、流入管５と、流出管６と、を備える。
殺菌・脱臭装置１は、流入管５の一端がオゾン濃度計３の流入部３１に接続されて、処理室２内のオゾンガスが流入管５を介してオゾン濃度計３の流入部３１からオゾン濃度計３内に流入するように構成される。
殺菌・脱臭装置１は、流出管６の一端がオゾン濃度計３の流出部３２に接続されて、前記オゾン濃度計３内に流入したオゾンガスがオゾン濃度計３の流出部３２から流出管６を介して処理室２内に流出するように構成される。
【００２８】
以上のように、内部の温度がオゾン濃度計３の使用環境温度範囲内に温調されるように構成される温調室４を処理室２外に備え、オゾン濃度計３は温調室４内に配置される、殺菌・脱臭装置１では、オゾン濃度計３が配置される温調室４内（処理室２外）においてオゾン濃度計３の使用環境温度がオゾン濃度計３の使用環境温度範囲内とされる。
したがって、殺菌・脱臭装置１によれば、オゾン濃度計３が処理室２内のオゾンガスに曝されることなく、処理室２外の温度がオゾン濃度計３の使用環境温度範囲を逸脱している場合においてもオゾン濃度計３によって処理室２内のオゾン濃度を測定することができる。
【００２９】
殺菌・脱臭装置１は、除湿機（不図示）を備える。
除湿機は、流入管５またはオゾン濃度計３に設けられる。
除湿機は、オゾン濃度計３内または流入管５内を除湿してオゾン濃度計３内または流入管５内で結露が生じることを防止するように構成される。
ここで、殺菌・脱臭装置１では、処理室２内の温度に比べてオゾン濃度計３内または流入管５内の温度が低い場合には、オゾン濃度計３内または流入管５内において結露が生じる場合があり、このようにオゾン濃度計３内または流入管５内で結露が生じた場合にはオゾン濃度計３でオゾンガス濃度を測定するこがとが困難になる。
以上のように、オゾン濃度計３内または流入管５内を除湿してオゾン濃度計３内または流入管５内で結露が生じることを防止するように構成される除湿機を備える、殺菌・脱臭装置１によれば、処理室２内の温度に比べてオゾン濃度計３内または流入管５内の温度が低い場合においても、オゾン濃度計３によって処理室２内のオゾン濃度を測定することができる。
【００３０】
次に、本発明の第二実施形態に係る殺菌・脱臭装置１について図２から図５を用いて説明する。
なお、第二実施形態に係る殺菌・脱臭装置１の説明では、第一実施形態に係る殺菌・脱臭装置１と同様の構成の部分については適宜省略し、第一実施形態に係る殺菌・脱臭装置１の構成と異なる部分を中心に説明する。
【００３１】
殺菌・脱臭装置１は、図２乃至図５に示すように、処理室２と、オゾン発生装置（不図示）と、オゾン濃度計３と、を備える。
【００３２】
殺菌・脱臭装置１の処理室２は、その内部にオゾン濃度計３が配置されるように構成される。
殺菌・脱臭装置１のオゾン濃度計３は、処理室２内に配置される。
殺菌・脱臭装置１は、温調装置（不図示）を備え、温調装置によって処理室２内の温度をオゾン濃度計３の使用環境温度範囲内に温度調節可能に構成される。
殺菌・脱臭装置１は、温調装置によって処理室２内の温度をオゾン濃度計３の使用環境温度範囲内にした状態で、処理室２内にオゾンガスを供給して、処理室２内の処理対象を殺菌または脱臭する処理を行うように構成される。
【００３３】
以上のように、オゾン濃度計３は処理室２内に配置され、処理室２内の温度をオゾン濃度計３の使用環境温度範囲内にして処理対象を殺菌または脱臭する処理を行うように構成される、殺菌・脱臭装置１では、オゾン濃度計３が配置される処理室２内においてオゾン濃度計３の使用環境温度がオゾン濃度計３の使用環境温度範囲内とされる。
このため、殺菌・脱臭装置１では、処理室２内のオゾンガスが処理室２外のオゾン濃度計３内に流入する流路、および、処理室２外のオゾン濃度計３内のオゾンガスが処理室２に流出する流路を要さずに、処理室２外の温度がオゾン濃度計３の使用環境温度範囲を逸脱している場合においてもオゾン濃度計３によって処理室２内のオゾン濃度を測定することができる。
したがって、殺菌・脱臭装置１によれば、オゾン濃度計３が処理室２外に配置され、処理室２内のオゾンガスが処理室２外のオゾン濃度計３内に流入する流路、および、処理室２外のオゾン濃度計３内のオゾンガスが処理室２に流出する流路を有するものに比べて、コンパクトに構成することができ、また、このため搬送を容易に行うことができる。
また、殺菌・脱臭装置１では、オゾン濃度計３、流入管５、および、流出管６が処理室２内に配置されることから、処理室２内の温度と、オゾン濃度計３内、流入管５内、および、流出管６内の温度と、を同様に（処理室２内の温度に比べてオゾン濃度計３内の温度が低くならないように）することができる。
したがって、殺菌・脱臭装置１によれば、オゾン濃度計３内、流入管５内、および、流出管６内に結露が生じることを防止して、確実にオゾン濃度計３によって処理室２内のオゾン濃度を測定することができる。
【００３４】
殺菌・脱臭装置１は、温調装置によって処理室２内の温度を２０℃以上４０℃以下に温度調節可能に構成される。
殺菌・脱臭装置１は、温調装置によって処理室２内の温度を２０℃以上４０℃以下にした状態で、処理室２内にオゾンガスを供給して、処理室２内の処理対象を殺菌または脱臭する処理を行うように構成される。
【００３５】
以上のように、処理室２内の温度を２０℃以上４０℃以下にして処理対象を殺菌または脱臭する処理を行うように構成される、殺菌・脱臭装置１では、オゾンガスによる処理対象の殺菌・脱臭処理効果を確保しつつ、処理室２外の温度がオゾン濃度計３の使用環境温度範囲を逸脱している場合においてもオゾン濃度計３によって処理室２内のオゾン濃度を測定することができる。
【００３６】
殺菌・脱臭装置１は、防止部７を備える。
防止部７は、オゾン濃度計３の一部または全部がオゾンガスに曝される（接触する）ことを防止するように構成される。
このように、オゾン濃度計３の一部または全部がオゾンガスに曝されることを防止するように構成される防止部７を備える、殺菌・脱臭装置１によれば、オゾン濃度計３（オゾン濃度計３の一部または全部）がオゾンガスに曝されることによってオゾン濃度計３を構成する部品（一部の部品）が腐蝕することを防止することができる。
【００３７】
殺菌・脱臭装置１は、容器７１を備える。容器７１は、防止部７として構成される。
容器７１は、中空状に形成されて、その内部にオゾン濃度計３が配置されるように構成される。
容器７１は、その内部にオゾン濃度計３が配置されることにより、オゾン濃度計３の周囲全体を囲むように構成される。
容器７１は、処理室２内に配置される。
処理室２は、容器７１が配置されるように構成される。
オゾン濃度計３は、容器７１内に配置される。
オゾン濃度計３は、処理室２内に配置される容器７１内に配置されて、処理室２内に配置される。
【００３８】
以上のように、防止部７は中空状に形成される容器７１で構成され、オゾン濃度計３は容器７１内に配置される、殺菌・脱臭装置１では、容器７１によってその周囲が囲まれるようにしてオゾン濃度計３がオゾンガスに曝されることが防止される。
したがって、殺菌・脱臭装置１によれば、オゾン濃度計３がオゾンガスに曝されることによってオゾン濃度計３を構成する部品が腐蝕することを確実に防止することができる。
【００３９】
殺菌・脱臭装置１は、冷却部８を備える。
冷却部８は、容器７１に設けられて、容器７１内の温度がオゾン濃度計３の使用環境温度範囲を越えないように（容器７１内の温度が、例えば４０度以上とならないように）容器７１内を冷却するように構成される。
このとき、冷却部８は、処理室２内の温度に比べてオゾン濃度計３内の温度が低くならないように容器７１内を冷却して、容器７１内（容器７１内のオゾン濃度計３内）に結露が生じることを防止するように構成される。
【００４０】
以上のように、容器７１内の温度がオゾン濃度計３の使用環境温度範囲を越えないように容器７１内を冷却するように構成される冷却部８を備える、殺菌・脱臭装置１では、容器７１内においてオゾン濃度計３が動作したときに生じる熱によって、容器７１内の温度がオゾン濃度計３の使用環境温度範囲を越えることが防止される。
したがて、殺菌・脱臭装置１によれば、容器７１内にオゾン濃度計３が配置されるものであっても、容器７１内の温度がオゾン濃度計３の使用環境温度範囲を越えてオゾン濃度計３を使用することができなくなることを防止することができる。
【００４１】
また、冷却部８は、例えば、図３に示すように、ペルチェ素子８１と冷却ファン８２とを有し、ペルチェ素子８１と冷却ファン８２とを動作させることによって、容器７１内の温度がオゾン濃度計３の使用環境温度範囲を越えないように容器７１内を冷却するように構成される。
このように冷却部８が構成されることにより、殺菌・脱臭装置１では、容器７１内の温度がオゾン濃度計３の使用環境温度範囲を越えてオゾン濃度計３を使用することができなくなることを防止することができるものを、コンパクトに構成することができる。
【００４２】
殺菌・脱臭装置１の冷却部８は、例えば、図４に示すように、オゾン分解触媒８３と排気ファン８４とを有し、排気ファン８４を動作させることによって容器７１内を負圧にして、オゾンガスを含む容器７１外の気体を吸引してオゾン分解触媒８３で酸素に分解して容器７１内に流入させるとともに容器７１内の気体を排気ファン８４を介して排気して、容器７１内の温度がオゾン濃度計３の使用環境温度範囲を越えないように容器７１内を冷却するように構成される。
このように冷却部８が構成されることにより、殺菌・脱臭装置１では、容器７１内の温度がオゾン濃度計３の使用環境温度範囲を越えてオゾン濃度計３を使用することができなくなることを確実に防止することができる。
【００４３】
また、冷却部８は、例えば、図５に示すように、オゾン分解触媒８３と吸気ファン８５と排気孔７２とを有し、吸気ファン８５を動作させることによって容器７１内を陽圧にして、オゾンガスを含む容器７１外の気体を吸引してオゾン分解触媒８３で酸素に分解して吸気ファン８５を介して容器７１内に流入させるとともに容器７１内の気体を排気孔７２から排気して、容器７１内の温度がオゾン濃度計３の使用環境温度範囲を越えないように容器７１内を冷却するように構成される。
容器７１は、その外面に複数個の排気孔７２が形成されて構成される。排気孔７２は、容器７１内から容器７１外に貫通するように構成される。
このように冷却部８が構成されることにより、殺菌・脱臭装置１では、容器７１内の温度がオゾン濃度計３の使用環境温度範囲を越えてオゾン濃度計３を使用することができなくなることを防止することができるものを、簡易な構造で実現することができる。
【００４４】
次に、本発明の第三実施形態に係る殺菌・脱臭装置１について図６から図８を用いて説明する。
なお、第三実施形態に係る殺菌・脱臭装置１の説明では、第一実施形態または第二実施形態に係る殺菌・脱臭装置１と同様の構成の部分については適宜省略し、第一実施形態または第二実施形態に係る殺菌・脱臭装置１の構成と異なる部分を中心に説明する。
【００４５】
殺菌・脱臭装置１は、図６乃至図８に示すように、処理室２と、オゾン発生装置（不図示）と、オゾン濃度計３と、防止部７と、を備える。
【００４６】
殺菌・脱臭装置１は、第一キャップ部材７３と第二キャップ部材７４とを備える。第一キャップ部材７３と第二キャップ部材７４とは、防止部７としてそれぞれ構成される。
【００４７】
殺菌・脱臭装置１の第一キャップ部材７３は、オゾン濃度計３の外装に固定されて配置される。
第一キャップ部材７３は、オゾン濃度計３の外装の一部を覆うように構成される。第一キャップ部材７３は、オゾン濃度計３の外装の隙間を覆うように構成される。第一キャップ部材７３は、オゾン濃度計３のコントロールパネルを覆うように構成される。第一キャップ部材７３は、オゾン濃度計３の外装の前面３３を覆うように配置される。
ここで、オゾン濃度計３は、操作スイッチや計器類等で構成されるコントロールパネルが外装の前面３３に配置されて構成される。オゾン濃度計３は、外装の前面３３にコントロールパネルが配置されることから、外装の前面３３においてスイッチや計器類を構成する部材と外装部材との間に隙間が形成されるように構成される。
【００４８】
以上のように、防止部７がオゾン濃度計３の外装の隙間を覆うように構成される第一キャップ部材７３（キャップ部材）で構成される、殺菌・脱臭装置１では、オゾン濃度計３の外装の隙間が第一キャップ部材７３（キャップ部材）で覆われて当該外装の隙間から内部にオゾンガスが侵入することを防止することができる。
したがって、殺菌・脱臭装置１によれば、オゾン濃度計３がオゾンガスに曝されることによってオゾン濃度計３の内部にオゾンガスが侵入してオゾン濃度計３を構成する内部の部品が腐蝕することを防止することができる。
【００４９】
殺菌・脱臭装置１の第二キャップ部材７４は、オゾン濃度計３の外装に固定されて配置される。
第二キャップ部材７４は、オゾン濃度計３の外装の一部を覆うように構成される。第二キャップ部材７４は、オゾン濃度計３の外面に配置される一部の部品を覆うように構成される。第二キャップ部材７４は、オゾン濃度計３の外面に配置される複数個の端子部品、および、流入部３１と流出部３２（流入管５または流出管６との接続部分）を覆うように構成される。第二キャップ部材７４は、オゾン濃度計３の外装の後面３４を覆うように配置される。
ここで、オゾン濃度計３は、複数個の端子部品、および、流入部３１と流出部３２（流入管５または流出管６との接続部分）が外装の後面３４に配置されて構成される。
【００５０】
以上のように、防止部７がオゾン濃度計３の外面に配置される一部の部品を覆うように構成される第二キャップ部材７４（キャップ部材）で構成される、殺菌・脱臭装置１では、オゾン濃度計３の外面に配置される一部の部品（複数個の端子部品）が第二キャップ部材７４（キャップ部材）で覆われて当該オゾン濃度計３の外面に配置される一部の部品（複数個の端子部品）がオゾンガスに曝されることが防止される。
したがって、殺菌・脱臭装置１によれば、オゾン濃度計３がオゾンガスに曝されることによってオゾン濃度計３を構成するオゾン濃度計３の外面に配置される一部の部品（複数個の端子部品）が腐蝕することを防止することができる。
【００５１】
また、殺菌・脱臭装置１では、第一キャップ部材７３または第二キャップ部材７４が、オゾン濃度計３の周囲全体を囲むものではなく、オゾン濃度計３の外装の一部を覆うように構成されることから、オゾン濃度計３の放熱を容易に行うことができ、オゾン濃度計３が動作したときに生じる熱によってオゾン濃度計３の使用環境温度範囲を越えることが防止される。
したがって、殺菌・脱臭装置１によれば、オゾン濃度計３がオゾンガスに曝されることによってオゾン濃度計３を構成する部品が腐蝕することを防止しつつ、冷却部８を要さずにオゾン濃度計３が動作したときに生じる熱によってオゾン濃度計３の使用環境温度範囲を越えること防止することができる。
【符号の説明】
【００５２】
１    殺菌・脱臭装置
２    処理室
３    オゾン濃度計
４    温調室
７    防止部
８    冷却部
３１  流入部
３２  流出部
４１  流入口
４２  流出口
７１  容器
７３  第一キャップ部材
７４  第二キャップ部材
【図１】
2014168595.tif 000003
【図２】
2014168595.tif 000004
【図３】
2014168595.tif 000005
【図４】
2014168595.tif 000006
【図５】
2014168595.tif 000007
【図６】
2014168595.tif 000008
【図７】
2014168595.tif 000009
【図８】
2014168595.tif 000010